(57)【要約】【課題】  電源オフ状態から撮影機能のみを素早く起動させて手軽に撮影可能状態とし、また、容易に撮影可能状態から通信機能を起動させることを可能とする。【解決手段】  カメラ付き携帯電話１が閉じられ、電源オフ状態（閉状態）において、カメラモード立ち上げ用電源オン／オフキー（マナーキー兼用）１３１が押下されると、電源制御部１３５により、無線部１２１を除いた回路部全体に電源１３４からの電力を供給する。次に、撮像デバイス１３０、ＤＳＰ１２９およびサブ表示部１１６を起動し、撮像した画像をリアルタイムでサブ表示部１１６にスルー表示する。そして、本体側部に配設されているシャッターキー（メモキー兼用）１３２が押下されると、その時点の画像を取り込み、ＲＡＭ１２４に格納する。【選択図】  図１
2005065235.tif 000002
【特許請求の範囲】
【請求項１】
無線通信手段と、
撮像手段と、
電源供給手段と、
第１の電源投入スイッチと、
第２の電源投入スイッチと、
前記第１の電源投入スイッチによるスイッチ操作を検出すると、前記電源供給手段からの電源を前記無線通信手段に供給し、前記第２の電源投入スイッチによるスイッチ操作を検出すると、前記電源供給手段からの電源を前記撮像手段に供給する第１の電源制御手段と
を具備することを特徴とする複合機器。
【請求項２】
前記第２の電源投入スイッチによるスイッチ操作の後、前記第１の電源投入スイッチによるスイッチ操作を検出すると、前記電源供給手段からの電源を前記撮像手段と前記無線通信手段とに供給する第２の電源制御手段を更に具備することを特徴とする請求項１記載の複合機器。
【請求項３】
複数のプログラムを記憶するプログラム記憶手段と、
前記プログラム記憶手段より前記第１の電源投入スイッチにより電源が投入された際に最初に実行するプログラムを選択する選択手段とを更に備え、
前記第１の電源制御手段、もしくは前記第２の電源制御手段は、前記無線通信手段に電源が供給されると、前記選択手段によって選択されたプログラムを実行することを特徴とする請求項１または２に記載の複合機器。
【請求項４】
前記複数のプログラムの実行優先度を記憶する優先度記憶手段と、
前記無線通信手段の通信状態を判断する判断手段とを更に備え、
前記選択手段は、前記優先度記憶手段に記憶された実行優先度と前記判断手段による判断結果に応じて、実行すべきプログラムを選択することを特徴とする請求項３記載の複合機器。
【請求項５】
前記複数のプログラムには、前記無線通信手段による無線通信処理によって当該機器外部のメールサーバと通信処理を行うための電子メール処理プログラムが含まれることを特徴とする請求項３または４に記載の複合機器。
【請求項６】
前記複数のプログラムには、当該機器外部より前記無線通信手段によって転送されるファイルを閲覧するための閲覧処理プログラムが含まれることを特徴とする請求項３または４に記載の複合機器。
【請求項７】
前記複数のプログラムには、前記無線通信手段による音声通信処理を行うための音声処理プログラムが含まれることを特徴とする請求項３または４に記載の複合機器。
【請求項８】
位置情報取得手段を更に備え、
前記複数のプログラムには、前記位置情報取得手段によって取得された位置情報を演算するプログラムが含まれることを特徴とする請求項３または４に記載の複合機器。
【請求項９】
前記第２の電源投入スイッチによるスイッチ操作の後、前記第１の電源投入スイッチによるスイッチ操作を検出すると、前記電源供給手段からの電源を少なくとも前記無線通信手段に供給する第３の電源制御手段を更に具備することを特徴とする請求項１記載の複合機器。
【請求項１０】
蓋部と本体部とを備え、かつ折り畳み可能な形状を有し、
前記第１の電源投入スイッチは、折り畳み状態を解除したときに露出する位置に配設され、
前記第２の電源投入スイッチは、折り畳み状態のときに露出する位置に配設されていることを特徴とする請求項１乃至９の何れかに記載の複合機器。
【請求項１１】
少なくとも撮像手段と無線通信手段とに対して電源を供給する電源供給方法であって、
第１の電源投入スイッチによるスイッチ操作を検出すると、前記電源を前記無線通信手段に供給し、第２の電源投入スイッチによるスイッチ操作を検出すると、前記電源を前記撮像手段に供給することを特徴とする電源供給方法。
【請求項１２】
前記第２の電源投入スイッチによるスイッチ操作の後、前記第１の電源投入スイッチによるスイッチ操作を検出すると、前記電源を前記撮像手段と前記無線通信手段とに供給することを特徴とする請求項１１記載の電源供給方法。
【請求項１３】
無線通信手段と、電源供給手段と、第１の電源投入スイッチと、第２の電源投入スイッチと、プログラム記憶手段とを具備する複合機器における動作制御方法において、
前記プログラム記憶手段に複数のプログラムを記憶しておき、
前記複数のプログラムから電源が投入された際に最初に実行するプログラムを選択し、
前記無線通信手段に電源が供給されると、前記選択されたプログラムを実行することを特徴とする動作制御方法。
【請求項１４】
前記複数のプログラムには、実行優先度が対応付けられており、
前記無線通信手段の通信状態を判断し、
前記実行優先度と前記通信状態とに応じて、実行すべきプログラムを選択することを特徴とする請求項１３記載の動作制御方法。
【請求項１５】
前記複数のプログラムには、前記無線通信手段による無線通信処理によって当該機器外部のメールサーバと通信処理を行うための電子メール処理プログラムが含まれることを特徴とする請求項１３または１４に記載の動作制御方法。
【請求項１６】
前記複数のプログラムには、当該機器外部から前記無線通信手段によって転送されるファイルを閲覧するための閲覧処理プログラムが含まれることを特徴とする請求項１３または１４に記載の動作制御方法。
【請求項１７】
前記複数のプログラムには、前記無線通信手段による音声通信処理を行うための音声処理プログラムが含まれることを特徴とする請求項１３または１４に記載の動作制御方法。
【請求項１８】
前記複数のプログラムには、当該機器の位置を示す位置情報を演算するプログラムが含まれることを特徴とする請求項１３または１４に記載の動作制御方法。
【請求項１９】
前記第２の電源投入スイッチによるスイッチ操作の後、前記第１の電源投入スイッチによるスイッチ操作を検出すると、前記電源供給手段からの電源を少なくとも前記無線通信手段に供給することを特徴とする請求項１３記載の動作制御方法。
【請求項２０】
少なくとも撮像手段と無線通信手段とに対して電源を供給する電源供給プログラムであって、
第１の電源投入スイッチによるスイッチ操作を検出すると、前記電源を前記無線通信手段に供給するステップと、
第２の電源投入スイッチによるスイッチ操作を検出すると、前記電源を前記撮像手段に供給するステップと
をコンピュータに実行させることを特徴とする電源供給プログラム。
【発明の詳細な説明】
【技術分野】
【０００１】
本発明は、複合機器、電源供給方法、動作制御方法および電源供給プログラムに関する。
【背景技術】
【０００２】
近年、デジタルカメラ（撮像機能）を備えた携帯電話が普及したこともあり、デジタルカメラでその場で手軽に撮影する利用シーンが増えつつある。従来、デジタルカメラを備えた携帯電話では、電源オフの状態から撮影だけしようとすると、まず、オフフックキーを長押しして、電源オンし、無線通信機能の初期設定（近隣の無線基地局との端末証明ネゴシエーションを含む各回路部への電源供給）を行なってから、カメラモードを起動させていた（例えば特許文献１参照）。
【０００３】
【特許文献１】特開２００３−６９８６８号公報
【発明の開示】
【発明が解決しようとする課題】
【０００４】
しかしながら、上記デジタルカメラを備えた携帯電話では、例えば電源オフの状態で、突発的に撮影しようとしたとき、すなわちシャッターチャンスが直前にあるときは、まず、オフフックキーを長押しして電源オン状態にし、携帯電話の無線回路部を含め回路全体に電源供給を行い、無線通信機能の初期設定、すなわち、近隣の無線基地局との端末証明等のネゴシエーションを行なってからカメラモードを起動させなければならないので、シャッターチャンスを逃しやすいという問題があった。
【０００５】
そこで本発明は、電源オフ状態から撮影機能のみを素早く起動させて手軽に撮影可能状態とすることができ、また、容易に撮影機能利用状態から通信機能を起動させることができる複合機器、電源供給方法、動作制御方法および電源供給プログラムを提供することを目的とする。
【課題を解決するための手段】
【０００６】
上記目的達成のため、請求項１記載の発明による複合機器は、無線通信手段と、撮像手段と、電源供給手段と、第１の電源投入スイッチと、第２の電源投入スイッチと、前記第１の電源投入スイッチによるスイッチ操作を検出すると、前記電源供給手段からの電源を前記無線通信手段に供給し、前記第２の電源投入スイッチによるスイッチ操作を検出すると、前記電源供給手段からの電源を前記撮像手段に供給する第１の電源制御手段とを具備することを特徴とする。
【０００７】
また、好ましい態様として、例えば請求項２記載のように、請求項１記載の複合機器において、前記第２の電源投入スイッチによるスイッチ操作の後、前記第１の電源投入スイッチによるスイッチ操作を検出すると、前記電源供給手段からの電源を前記撮像手段と前記無線通信手段とに供給する第２の電源制御手段を更に具備するようにしてもよい。
【０００８】
また、好ましい態様として、例えば請求項３記載のように、請求項１または２に記載の複合機器において、複数のプログラムを記憶するプログラム記憶手段と、前記プログラム記憶手段より前記第１の電源投入スイッチにより電源が投入された際に最初に実行するプログラムを選択する選択手段とを更に備え、前記第１の電源制御手段、もしくは前記第２の電源制御手段は、前記無線通信手段に電源が供給されると、前記選択手段によって選択されたプログラムを実行するようにしてもよい。
【０００９】
また、好ましい態様として、例えば請求項４記載のように、請求項３記載の複合機器において、前記複数のプログラムの実行優先度を記憶する優先度記憶手段と、前記無線通信手段の通信状態を判断する判断手段とを更に備え、前記選択手段は、前記優先度記憶手段に記憶された実行優先度と前記判断手段による判断結果に応じて、実行すべきプログラムを選択するようにしてもよい。
【００１０】
また、好ましい態様として、例えば請求項５記載のように、請求項３または４に記載の複合機器において、前記複数のプログラムには、前記無線通信手段による無線通信処理によって当該機器外部のメールサーバと通信処理を行うための電子メール処理プログラムが含まれるようにしてもよい。
【００１１】
また、好ましい態様として、例えば請求項６記載のように、請求項３または４に記載の複合機器において、前記複数のプログラムには、当該機器外部より前記無線通信手段によって転送されるファイルを閲覧するための閲覧処理プログラムが含まれるようにしてもよい。
【００１２】
また、好ましい態様として、例えば請求項７記載のように、請求項３または４に記載の複合機器において、前記複数のプログラムには、前記無線通信手段による音声通信処理を行うための音声処理プログラムが含まれるようにしてもよい。
【００１３】
また、好ましい態様として、例えば請求項８記載のように、請求項３または４に記載の複合機器において、位置情報取得手段を更に備え、前記複数のプログラムには、前記位置情報取得手段によって取得された位置情報を演算するプログラムが含まれるようにしてもよい。
【００１４】
また、好ましい態様として、例えば請求項９記載のように、請求項１記載の複合機器において、前記第２の電源投入スイッチによるスイッチ操作の後、前記第１の電源投入スイッチによるスイッチ操作を検出すると、前記電源供給手段からの電源を少なくとも前記無線通信手段に供給する第３の電源制御手段を更に具備するようにしてもよい。
【００１５】
また、好ましい態様として、例えば請求項１０記載のように、請求項１乃至９の何れかに記載の複合機器において、蓋部と本体部とを備え、かつ折り畳み可能な形状を有し、前記第１の電源投入スイッチは、折り畳み状態を解除したときに露出する位置に配設され、前記第２の電源投入スイッチは、折り畳み状態のときに露出する位置に配設されるようにしてもよい。
【００１６】
また、上記目的達成のため、請求項１１記載の発明による電源供給方法は、少なくとも撮像手段と無線通信手段とに対して電源を供給する電源供給方法であって、第１の電源投入スイッチによるスイッチ操作を検出すると、前記電源を前記無線通信手段に供給し、第２の電源投入スイッチによるスイッチ操作を検出すると、前記電源を前記撮像手段に供給することを特徴とする。
【００１７】
また、好ましい態様として、例えば請求項１２記載のように、請求項１１記載の電源供給方法において、前記第２の電源投入スイッチによるスイッチ操作の後、前記第１の電源投入スイッチによるスイッチ操作を検出すると、前記電源を前記撮像手段と前記無線通信手段とに供給するようにしてもよい。
【００１８】
また、上記目的達成のため、請求項１３記載の発明による動作制御方法は、無線通信手段と、電源供給手段と、第１の電源投入スイッチと、第２の電源投入スイッチと、プログラム記憶手段とを具備する複合機器における動作制御方法において、前記プログラム記憶手段に複数のプログラムを記憶しておき、前記複数のプログラムから電源が投入された際に最初に実行するプログラムを選択し、前記無線通信手段に電源が供給されると、前記選択されたプログラムを実行することを特徴とする。
【００１９】
また、好ましい態様として、例えば請求項１４記載のように、請求項１３記載の動作制御方法において、前記複数のプログラムには、実行優先度が対応付けられており、前記無線通信手段の通信状態を判断し、前記実行優先度と前記通信状態とに応じて、実行すべきプログラムを選択するようにしてもよい。
【００２０】
また、好ましい態様として、例えば請求項１５記載のように、請求項１３または１４に記載の動作制御方法において、前記複数のプログラムには、前記無線通信手段による無線通信処理によって当該機器外部のメールサーバと通信処理を行うための電子メール処理プログラムが含まれるようにしてもよい。
【００２１】
また、好ましい態様として、例えば請求項１６記載のように、請求項１３または１４に記載の動作制御方法において、前記複数のプログラムには、当該機器外部から前記無線通信手段によって転送されるファイルを閲覧するための閲覧処理プログラムが含まれるようにしてもよい。
【００２２】
また、好ましい態様として、例えば請求項１７記載のように、請求項１３または１４に記載の動作制御方法において、前記複数のプログラムには、前記無線通信手段による音声通信処理を行うための音声処理プログラムが含まれるようにしてもよい。
【００２３】
また、好ましい態様として、例えば請求項１８記載のように、請求項１３または１４に記載の動作制御方法において、前記複数のプログラムには、当該機器の位置を示す位置情報を演算するプログラムが含まれるようにしてもよい。
【００２４】
また、好ましい態様として、例えば請求項１９記載のように、請求項１３記載の動作制御方法において、前記第２の電源投入スイッチによるスイッチ操作の後、前記第１の電源投入スイッチによるスイッチ操作を検出すると、前記電源供給手段からの電源を少なくとも前記無線通信手段に供給するようにしてもよい。
【００２５】
また、上記目的達成のため、請求項２０記載の発明による電源供給プログラムは、少なくとも撮像手段と無線通信手段とに対して電源を供給する電源供給プログラムであって、第１の電源投入スイッチによるスイッチ操作を検出すると、前記電源を前記無線通信手段に供給するステップと、第２の電源投入スイッチによるスイッチ操作を検出すると、前記電源を前記撮像手段に供給するステップとをコンピュータに実行させることを特徴とする。
【発明の効果】
【００２６】
請求項１記載の発明によれば、第１の電源制御手段により、前記第１の電源投入スイッチによるスイッチ操作を検出すると、前記電源供給手段からの電源を前記無線通信手段に供給し、前記第２の電源投入スイッチによるスイッチ操作を検出すると、前記電源供給手段からの電源を前記撮像手段に供給するようにしたので、電源オフ状態から撮影機能のみを素早く起動させて手軽に撮影可能状態とすることができるという利点が得られる。
【００２７】
また、請求項２記載の発明によれば、第２の電源制御手段により、前記第２の電源投入スイッチによるスイッチ操作の後、前記第１の電源投入スイッチによるスイッチ操作を検出すると、前記電源供給手段からの電源を前記撮像手段と前記無線通信手段とに供給するようにしたので、電源オフ状態から撮影機能のみを素早く起動させて手軽に撮影可能状態とすることができ、また、容易に撮影機能利用状態から通信機能を起動させることができるという利点が得られる。
【００２８】
また、請求項３記載の発明によれば、複数のプログラムをプログラム記憶手段に記憶しておき、選択手段により、前記プログラム記憶手段より前記第１の電源投入スイッチにより電源が投入された際に最初に実行するプログラムを選択し、前記無線通信手段に電源が供給されると、前記第１の電源制御手段、もしくは前記第２の電源制御手段により、前記選択手段によって選択されたプログラムを実行するようにしたので、電源オフ状態から撮影機能のみを素早く起動させて手軽に撮影可能状態とすることができ、また、容易に撮影機能利用状態から通信機能を起動させることができ、さらに、適切なプログラムを起動するという利点が得られる。
【００２９】
また、請求項４記載の発明によれば、前記複数のプログラムの実行優先度を優先度記憶手段に記憶しておき、判断手段により、前記無線通信手段の通信状態を判断し、前記選択手段により、前記優先度記憶手段に記憶された実行優先度と前記判断手段による判断結果に応じて、実行すべきプログラムを選択するようにしたので、電源オフ状態から撮影機能のみを素早く起動させて手軽に撮影可能状態とすることができ、また、容易に撮影機能利用状態から通信機能を起動させることができ、さらに、適切なプログラムを起動するという利点が得られる。
【００３０】
また、請求項５記載の発明によれば、前記複数のプログラムに、前記無線通信手段による無線通信処理によって当該機器外部のメールサーバと通信処理を行うための電子メール処理プログラムを含めるようにしたので、電源オフ状態から撮影機能のみを素早く起動させて手軽に撮影可能状態とすることができ、また、容易に撮影機能利用状態から通信機能を起動させることができ、さらに、適切なプログラムを起動するという利点が得られる。
【００３１】
また、請求項６記載の発明によれば、前記複数のプログラムに、当該機器外部より前記無線通信手段によって転送されるファイルを閲覧するための閲覧処理プログラムを含めるようにしたので、電源オフ状態から撮影機能のみを素早く起動させて手軽に撮影可能状態とすることができ、また、容易に撮影機能利用状態から通信機能を起動させることができ、さらに、適切なプログラムを起動するという利点が得られる。
【００３２】
また、請求項７記載の発明によれば、前記複数のプログラムには、前記無線通信手段による音声通信処理を行うための音声処理プログラムを含めるようにしたので、電源オフ状態から撮影機能のみを素早く起動させて手軽に撮影可能状態とすることができ、また、容易に撮影機能利用状態から通信機能を起動させることができ、さらに、適切なプログラムを起動するという利点が得られる。
【００３３】
また、請求項８記載の発明によれば、前記複数のプログラムに、位置情報取得手段によって取得された位置情報を演算するプログラムを含めるようにしたので、電源オフ状態から撮影機能のみを素早く起動させて手軽に撮影可能状態とすることができ、また、容易に撮影機能利用状態から通信機能を起動させることができ、さらに、適切なプログラムを起動するという利点が得られる。
【００３４】
また、請求項９記載の発明によれば、前記第２の電源投入スイッチによるスイッチ操作の後、前記第１の電源投入スイッチによるスイッチ操作を検出すると、第３の電源制御手段により、前記電源供給手段からの電源を少なくとも前記無線通信手段に供給するようにしたので、電源オフ状態から撮影機能のみを素早く起動させて手軽に撮影可能状態とすることができ、また、容易に撮影機能利用状態から通信機能を起動させることができるという利点が得られる。
【００３５】
また、請求項１０記載の発明によれば、蓋部と本体部とを備え、かつ折り畳み可能な形状とし、前記第１の電源投入スイッチを、折り畳み状態を解除したときに露出する位置に配設し、前記第２の電源投入スイッチを、折り畳み状態のときに露出する位置に配設するようにしたので、電源オフ状態から撮影機能のみを素早く起動させて手軽に撮影可能状態とすることができ、また、容易に撮影機能利用状態から通信機能を起動させることができるという利点が得られる。
【００３６】
また、請求項１１記載の発明によれば、第１の電源投入スイッチによるスイッチ操作を検出すると、前記電源を前記無線通信手段に供給し、第２の電源投入スイッチによるスイッチ操作を検出すると、前記電源を前記撮像手段に供給するようにしたので、電源オフ状態から撮影機能のみを素早く起動させて手軽に撮影可能状態とすることができるという利点が得られる。
【００３７】
また、請求項１２記載の発明によれば、前記第２の電源投入スイッチによるスイッチ操作の後、前記第１の電源投入スイッチによるスイッチ操作を検出すると、前記電源を前記撮像手段と前記無線通信手段とに供給するようにしたので、電源オフ状態から撮影機能のみを素早く起動させて手軽に撮影可能状態とすることができ、また、容易に撮影機能利用状態から通信機能を起動させることができるという利点が得られる。
【００３８】
また、請求項１３記載の発明によれば、前記プログラム記憶手段に複数のプログラムを記憶しておき、前記複数のプログラムから電源が投入された際に最初に実行するプログラムを選択し、前記無線通信手段に電源が供給されると、前記選択されたプログラムを実行するようにしたので、電源オフ状態から撮影機能のみを素早く起動させて手軽に撮影可能状態とすることができ、また、容易に撮影機能利用状態から通信機能を起動させることができ、さらに、適切なプログラムを起動するという利点が得られる。
【００３９】
また、請求項１４記載の発明によれば、前記複数のプログラムに、実行優先度を対応付け、前記実行優先度と前記無線通信手段の通信状態とに応じて、実行すべきプログラムを選択するようにしたので、電源オフ状態から撮影機能のみを素早く起動させて手軽に撮影可能状態とすることができ、また、容易に撮影機能利用状態から通信機能を起動させることができ、さらに、適切なプログラムを起動するという利点が得られる。
【００４０】
また、請求項１５記載の発明によれば、前記複数のプログラムに、前記無線通信手段による無線通信処理によって当該機器外部のメールサーバと通信処理を行うための電子メール処理プログラムを含めるようにしたので、電源オフ状態から撮影機能のみを素早く起動させて手軽に撮影可能状態とすることができ、また、容易に撮影機能利用状態から通信機能を起動させることができ、さらに、適切なプログラムを起動するという利点が得られる。
【００４１】
また、請求項１６記載の発明によれば、前記複数のプログラムに、当該機器外部から前記無線通信手段によって転送されるファイルを閲覧するための閲覧処理プログラムを含めるようにしたので、電源オフ状態から撮影機能のみを素早く起動させて手軽に撮影可能状態とすることができ、また、容易に撮影機能利用状態から通信機能を起動させることができ、さらに、適切なプログラムを起動するという利点が得られる。
【００４２】
また、請求項１７記載の発明によれば、前記複数のプログラムに、前記無線通信手段による音声通信処理を行うための音声処理プログラムを含めるようにしたので、電源オフ状態から撮影機能のみを素早く起動させて手軽に撮影可能状態とすることができ、また、容易に撮影機能利用状態から通信機能を起動させることができ、さらに、適切なプログラムを起動するという利点が得られる。
【００４３】
また、請求項１８記載の発明によれば、前記複数のプログラムに、当該機器の位置を示す位置情報を演算するプログラムを含めるようにしたので、電源オフ状態から撮影機能のみを素早く起動させて手軽に撮影可能状態とすることができ、また、容易に撮影機能利用状態から通信機能を起動させることができ、さらに、適切なプログラムを起動するという利点が得られる。
【００４４】
また、請求項１９記載の発明によれば、前記第２の電源投入スイッチによるスイッチ操作の後、前記第１の電源投入スイッチによるスイッチ操作を検出すると、前記電源供給手段からの電源を少なくとも前記無線通信手段に供給するようにしたので、電源オフ状態から撮影機能のみを素早く起動させて手軽に撮影可能状態とすることができ、また、容易に撮影機能利用状態から通信機能を起動させることができるという利点が得られる。
【００４５】
また、請求項２０記載の発明によれば、第１の電源投入スイッチによるスイッチ操作を検出すると、前記電源を前記無線通信手段に供給するステップと、第２の電源投入スイッチによるスイッチ操作を検出すると、前記電源を前記撮像手段に供給するステップとをコンピュータに実行させるようにしたので、電源オフ状態から撮影機能のみを素早く起動させて手軽に撮影可能状態とすることができるという利点が得られる。
【発明を実施するための最良の形態】
【００４６】
以下、本発明の実施の形態を、カメラ付き携帯電話に適用した一実施例として、図面を参照して説明する。
【００４７】
Ａ．第１実施形態の構成
図１は、本発明の第１実施形態によるカメラ付き携帯電話１の外観図（開状態：正面図、側面図）である。本第１実施形態における携帯電話１は、蓋部２と本体部３とからなる二つ折り構造である。スピーカ１０１は、蓋部２の前面側に設けられており、電話モードにおける通話時には音声出力を行なう。表示部（メイン表示部）１０２は、カラー液晶であり、ＱＶＧＡの解像度を有し、撮影した画像やダウンロードした画像を表示可能となっている。アンテナ１０３は、本体部の背面に設けられており、伸縮自在となっている。
【００４８】
カメラキー１０４は、電源オン状態におけるカメラモードへの移行、後述する撮像部１３０、ＤＳＰ１２９の起動を指示するためのキーである。メールキー１０５は、メールモードへの移行、メールプログラムのロードを指示するためのキーである。十字キー１０６は、カーソルの移動、フォーカス（選択）の移動を指示するためのキーである。決定キー１０７は、モード選択を決定したり、選択を決定したりするためのキーである。アドレスキー１０８は、アドレス帳データを表示するためのキーである。ネット接続キー１０９は、インターネットへ接続するためのキーである。クリアキー１１０は、選択などをキャンセルするためのキーである。オンフックキー１１１は、回線を接続するためのキーである。オフフックキー１１２は、電話モード／カメラモード兼用電源オフキー、電話モード立ち上げ用電源オンキー、回線を切断するためのキーである。テンキー１１３は、文字入力やダイアル入力を行なうためのキーである。マイク１１４は、本体部の下部に設けられており、通話時における音声入力を行なう。
【００４９】
また、図２は、本第１実施形態によるカメラ付き携帯電話１の外観図（閉状態：裏面図（ａ）、正面図（ｂ））である。図２（ａ）において、キー１３１は、本体部３の側部に設けられ、閉じた状態でも操作可能となっている。このキー１３１は、電源オフ状態からのカメラモード立ち上げ用の電源オン、カメラモードが動作している状態にあってはカメラモードの解除、及び、電話モードにあってはマナーキーとして機能する。キー１３２は、本体部３の側部に設けられ、閉じた状態でも操作可能となっている。このキー１３２は、カメラモードで閉じた状態にあってはシャッターキーとして機能し、電話モードにあってはメモキーとして機能する。１３４はバッテリバックである。
【００５０】
撮像レンズ１１８は、バッテリパック１３４の上部に設けられており、静止画や動画を撮影する。フラッシュ用ＬＥＤ１１９は、静止画や動画撮影時に点灯し、露出不足を防止するための発光手段である。録音用マイク１１５は、カメラモードによる動画撮影時において、撮影と同時に周囲環境の音を録音するためのものである。報知スピーカ１２０は、着信や緊急時などを報知する他、カメラモードにおいては被写対象に聞こえるようにシャッター音を出力するものである。
【００５１】
一方、図２（ｂ）において、蓋部２の背面には、サブ表示部１１６が設けられており、携帯電話１が閉じられた状態において、日時表示や、着信報知、メール着信報知、静止画や動画撮影時の補助画面などに用いられる他、カメラモードにおいては、本体部に設けられた撮像レンズにて逐次撮り込まれる画像をモニター表示するためのファインダーとして機能する。報知用ＬＥＤ１１７は、発光することにより着信報知、メール着信報知を行なう。
【００５２】
次に、図３は、上述したカメラ付き携帯電話１の構成を示すブロック図である。図において、無線送受信部１２１は、無線によりアンテナ１０３を介して音声やデータ（メールデータ）を送受し変調／復調するなど、ＰＳＫ方式に基づく変復調、ＣＤＭＡ方式に基づく端末認証処理を含む通信処理を行なう。
【００５３】
制御部１２２は、ＷＷＷ接続制御を含む当該機器を制御する。通信データ処理部１２２１は、ＣＬＥＰ系音声復号処理回路、パケットデータ生成回路、およびパケットデータ復元回路を含み、通信プロトコルに沿ったデータ処理を行なう。
【００５４】
システムＲＯＭ１２２２は、当該携帯電話において、主に無線通信処理全般を制御するための基本システムプログラムを格納する。オーディオインターフェース１２２３は、通信データ処理部１２２１で処理される音声信号の入出力処理を行い、マイク１１４または録音用マイク１１５からの音声を入力して音声信号に変換して、音声信号をスピーカ１０１から出力する。
【００５５】
アドレスデータバス処理部１２３は、周辺回路（点線枠）とのデータの入出力タイミング等を制御・管理する。ＲＡＭ１２４は、アドレス帳データ、メールデータ等、電話モードにて使用するデータや、カメラモードにて撮影された画像データ等、機器内で生成される各種データを記憶する。プログラムＲＯＭ１２５は、書換可能なＦｌａｓｈ  ＲＯＭで構成され、各種アプリケーションプログラムを格納する。
【００５６】
表示モジュール系ドライバ１２８は、サブ表示部１１６、メイン表示部１０２、ＬＥＤ１１７，１１９を駆動させる。音源ＩＣ１２６は、着信音などを生成する。アンプ１２７は、音源ＩＣ１２６からの音声信号を増幅し、報知スピーカ１２０から出力する。撮像デバイス１３０は、ＣＣＤ、若しくはＣＭＯＳで構成され、撮像レンズ１１８により集束された映像をカラー画像として取り込む。ＤＳＰ１２９は、撮像デバイス１３０にて取り込まれた画像を符号化処理する。
【００５７】
電源１３４は、バッテリパック１３４に相当し、携帯電話１の作動に必要な電力を供給する。電源制御部１３５は、入力部の所定のキー操作に従って、電話モードあるいはカメラモードに応じて、各部へ電源１３４からの供給電力を供給する。具体的には、携帯電話１が電源オフ状態にあり、オフフックキー１１２が長押しされて電源オン状態になったときには、全ての回路へ電力を供給し、一方、携帯電話１が閉状態にあり、側面に設けられたカメラモード立ち上げ用電源オン／オフキー（電話モードではマナーキー）１３１が押下されて電源オン状態になったときには、無線部１２１を除く各部へ電力を供給する。
【００５８】
Ｂ．第１実施形態の動作
次に、上述した第１実施形態による携帯電話の動作について説明する。
ここで、図４は、本第１実施形態において、電話モード立ち上げ動作、カメラモード立ち上げ動作およびカメラモード時の動作を説明するためのフローチャートである。電源オフ状態において、まず、オフフックキー１１２が押下されたか否かを判断する（ステップＳ１０）。そして、オフフックキー１１２が押下された場合には、電源制御部１３５により、無線部１２１を含む回路部全体に電源１３４からの電力を供給する（ステップＳ１２）。
【００５９】
次に、制御部１２２では、初期設定、無線基地局とのネゴシエーション処理を行ない（ステップＳ１４）、待ち受け状態とする（ステップＳ１６）。次に、オフフックキー１１２が長押しされたか否かを判断し（ステップＳ１８）、オフフックキー１１２が長押しされない場合には、ステップＳ１６へ戻り、待ち受け状態を継続する。一方、オフフックキー１１２が長押しされた場合には、当該処理を終了して電源オフ状態になる。
【００６０】
また、電源オフ状態において、オフフックキー１１２が押下されなかった場合には、本体側部に配設されているカメラモード立ち上げ用電源オン／オフキー（電話モードではマナーキー）１３１が押下されたか否かを判断する（ステップＳ２０）。そして、カメラモード立ち上げ用電源オン／オフキー１３１が押下されない場合には、当該処理を終了して電源オフ状態を継続する。
【００６１】
一方、電源オフ状態（閉状態）でカメラモード立ち上げ用電源オン／オフキー１３１が押下された場合には、電源制御部１３５により、無線部１２１を除いた回路部全体に電源１３４からの電力を供給し（ステップＳ２２）、所謂電波オフモードに設定する。次に、撮像デバイス１３０、ＤＳＰ１２９およびサブ表示部１１６を起動する（ステップＳ２４）。次に、撮像デバイス１３０、ＤＳＰ１２９により撮影されている画像をリアルタイムでサブ表示部１１６にスルー表示する（ステップＳ２６）。
【００６２】
次に、本体側部に配設されているシャッターキー（電話モードではメモキー）１３２が押下されたか否かを判断する（ステップＳ２８）。そして、シャッターキー１３２が押下されなかった場合には、ステップＳ２６へ戻り、スルー表示を継続する。一方、シャッターキー１３２が押下された場合には、その時点の画像を取り込み、ＲＡＭ１２４に格納する（ステップＳ３０）。
【００６３】
次に、オフフックキー１１２が押下されたか否かを判断することにより電波オフモードが解除されたか否かを判断する（ステップＳ３２）。電波オフモードが解除された場合、すなわちオフフックキー１１２が押下された場合には、無線部１２１への電源供給を開始し（ステップＳ３４）、前述したステップＳ１４へ進み、電話モードを立ち上げる。一方、電波オフモードが解除されない場合には、カメラモード立ち上げ用電源オン／オフキー１３１またはオフフックキー１１２が長押しされたか否かを判断する（ステップＳ３６）。そして、カメラモード立ち上げ用電源オン／オフキー１３１またはオフフックキー１１２が長押しされない場合には、前述したステップＳ２６へ戻り、撮像デバイス１３０、ＤＳＰ１２９により撮影されている画像をリアルタイムでサブ表示部１１６にスルー表示し、撮影動作を継続する。一方、カメラモード立ち上げ用電源オン／オフキー１３１またはオフフックキー１１２のどちらかが長押しされた場合には、当該処理を終了して電源オフ状態を継続する。
【００６４】
上述した第１実施形態では、カメラ付き携帯電話において、電源オフ状態で、直ちに撮影だけしようとしたとき、本体側部に配設されたカメラモード立ち上げ用電源オン／オフキー（マナーキー兼用）１３１を操作するだけで、無線部１２１を除いた回路部全体に電源を供給する。したがって、無線通信機能の初期設定（近隣の無線基地局との端末証明ネゴシエーションを含む各回路部への電源供給）を行なうことなく、カメラモードのみを素早く起動させることができ、シャッターチャンスを逃すことなくいつでも手軽に撮影することができる。また、カメラモードのみを起動させた状態で、オフフックキー１１２が操作されると、無線部１２１にも電源を供給し、無線通信機能を起動するようにしたので、例えば、撮影した画像をメールに添付して送信するなど、カメラモードから電話モードへの移行を円滑に、かつ迅速に行なうことができ、利便性を向上させることが可能となる。
【００６５】
Ｃ．第２実施形態
次に、本発明の第２実施形態について説明する。
図５は、本第２実施形態による携帯電話の構成を示すブロック図である。なお、図３に対応する部分には同一の符号を付けて説明を省略する。図５において、前述した第１実施形態の構成と異なる部分は、ＧＰＳアンテナ１３６と位置情報演算処理部１３７とを追加した点である。位置情報演算処理部１３７は、米国国防省が打ち上げた測地衛星（NAVSTAR：現在は２４個が地球を周回している）のうち、少なくとも４個程度（それ以下でもよいが精度が低下する）の測地衛星から発信する電波（1.22760G／1.57542GHz）をＧＰＳアンテナ１３６により受信し、電波の位相（受信タイミングの違い）を計算し、受信者と人工衛星の間で三角測量を行なうことで現在位置の緯度・経度（・高度）情報からなる位置情報を取得する。
【００６６】
次に、図６は、第２実施形態による携帯電話１のＲＯＭ１２５のメモリエリアの構成を示す概念図である。該ＲＯＭ１２５は、メールプログラム格納領域１２５１、画像処理プログラム格納領域１２５２、ブラウザ格納領域１２５３、位置情報関連アプリケーションプログラム格納領域１２５４およびその他プログラム格納領域１２５５からなる。
【００６７】
メールプログラム領域領域１２５１は、外部のメールサーバと通信を行うためのメールソフトウェアプログラムを格納する。画像処理プログラム格納領域１２５２は、撮像部（撮像レンズ１１８、撮像デバイス１３０、ＤＳＰ１２９）で撮像・デジタル符号化されてＲＡＭ１２４にバッファリングされた画像データに各種画像処理を施すための画像処理プログラムを格納する。なお、画像処理プログラムは、インターネットなどを介してサーバからダウンロードするようにしてもよい。ブラウザ格納領域１２５３は、インターネットを介して転送されるファイルを閲覧するためのブラウザプログラムを格納する。位置情報関連アプリケーションプログラム格納領域１２５４は、上述した位置情報演算処理部１３７による位置情報の演算に係るアプリケーションプログラムを格納する。その他のプログラム領域２４１４は、上記以外のアプリケーションプログラムなどを格納する。
【００６８】
次に、図７は、本第２実施形態による携帯電話１のＲＡＭ１２４のメモリエリアの構成を示す概念図である。ＲＡＭ１２４は、アドレス帳データ領域１２４１、メールデータ領域１２４２、画像データ領域１２４３、設定テーブル領域１２４４およびその他ワークエリア１２４５からなる。アドレス帳データ領域１２４１は、氏名、電話番号、メールアドレス等を一組のレコードとして複数格納する。メールデータ領域１２４２は、メールソフトウェアを使用して作成されたメールデータや、受信したメールデータを格納する。画像データ領域１２４３は、メールにファイルが添付されている場合、このファイルを格納する。設定テーブル領域１２４４は、電源投入時に実行すべき動作とその優先順位とが設定された設定テーブルを格納する。その他ワークエリア１２４５は、その他のワークメモリとして各種データを格納する。
【００６９】
次に、図８は、上記設定テーブルのデータ構成を示す概念図である。該設定テーブルは、オフフックキー１１２を操作したときに、無線部１２１への電源投入（ネゴシエーション処理）の後、実行すべきプログラムを、優先度に応じて設定したものである。優先度は、ユーザ操作により任意に設定することができる。また、上記プログラムは、プログラムＲＯＭ１２５からロードされる。また、実行すべきプログラムには、実行の際、通信処理を要するものが含まれる。該通信処理は、優先度と、上記ネゴシエーションの結果（サービス圏外、受信感度不良）に応じてスキップするよう制御される。
【００７０】
メールサーバ問い合わせ処理は、電源オンすると、まず、メールチェックするユーザがいる場合を想定している。Ｗｅｂ（ネット接続）モードでは、予め決められたＵＲＬにアクセスする。新規送信メール作成は、電源オンすると、撮影した画像をメールに添付して送信する。ＧＰＳモードは、撮影した画像データに位置情報（撮影場所）を埋め込む場合を想定している。イメージビューワは、画像処理プログラムに含まれるプログラムの一種である。アドレス帳編集モードは、撮影した画像をアドレス帳にリンクさせる場合を想定している。ダイアル発信は、撮像処理とは関係ないが、緊急時の使用として、電源オンで、予め設定してある電話番号に自動発呼する場合を想定している。
【００７１】
Ｄ．第２実施形態の動作
次に、上述した第２実施形態の動作について説明する。ここで、図９は、本第２実施形態による携帯電話１の動作（一部）を説明するためのフローチャートである。なお、図９のフローチャートは、図４に示す第１実施形態の動作を説明したフローチャートのステップＳ３４以降で実行される動作を示しており、図４と同じ部分の説明は省略する。
【００７２】
オフフックキー１１２が操作されると（ステップＳ３２）、無線部１２１への電源供給を開始し（ステップＳ３４）、無線基地局とのネゴシエーション処理を行ない（ステップＳ３９）、設定テーブルを読み出し（ステップＳ４０）、優先度の高い順から対応するモード処理を開始する（ステップＳ４２）。次に、処理内容に通信処理が含まれるか否かを判断し（ステップＳ４４）、通信処理が含まれる場合、圏外、もしくは受信感度不良であるか否かを判断し（ステップＳ４６）、圏外、もしくは受信感度不良である場合には、優先順位において次のモード処理にも通信処理が含まれるか否かを判断する（ステップＳ４８）。
【００７３】
そして、処理内容に通信処理が含まれ、かつ圏外、もしくは受信感度不良であって、次のモード処理にも通信処理が含まれる場合には、エラーが帰ってくるだけであるので、そのモード処理をスキップする（ステップＳ５０）。その後、優先順位に沿ってモード処理を実行する（ステップＳ５２）。例えば、図８に示す例では、優先順位１のメールモードで、メールサーバに問い合わせを行ってもエラーが返ってくるだけであるので、優先順位１，２をスキップし、優先順位３から行うことになる。次に、オフフックキーの操作によるモード抜けを検出したか否かを判断し（ステップＳ５４）、検出しなかった場合には、ステップＳ５２へ戻り、優先順位に沿ったモード処理を継続する。一方、モード抜けを検出した場合には、自動的にカメラモードを抜ける（ＤＳＰ１２９、撮像デバイス１３０への電源供給を止める）ようにして、図４に示すステップＳ１６以降へ進む。
【００７４】
一方、処理内容に通信処理が含まれなかった場合や、通信処理が含まれても圏内もしく受信感度良好であれば、そのモード処理をスキップすることなく、モード抜けを検出するまで、優先順位に沿ってモード処理を行う。
【図面の簡単な説明】
【００７５】
【図１】本発明の第１実施形態によるカメラ付き携帯電話１の外観図（開状態：正面図、側面図）である。
【図２】本第１実施形態によるカメラ付き携帯電話１の外観図（閉状態：正面図、裏面図）である。
【図３】カメラ付き携帯電話１の構成を示すブロック図である。
【図４】本第１実施形態において、電話モード立ち上げ動作、カメラモード立ち上げ動作およびカメラモード時の動作を説明するためのフローチャートである。
【図５】本第２実施形態による携帯電話の構成を示すブロック図である。
【図６】本第２実施形態による携帯電話１のＲＯＭ１２５のメモリエリアの構成を示す概念図である。
【図７】本第２実施形態による携帯電話１のＲＡＭ１２４のメモリエリアの構成を示す概念図である。
【図８】設定テーブルのデータ構成を示す概念図である。
【図９】本第２実施形態による携帯電話１の動作（一部）を説明するためのフローチャートである。
【符号の説明】
【００７６】
１  カメラ付き携帯電話（複合機器）
２  蓋部
３  本体部
１０１  スピーカ
１０２  メイン表示部
１０３  アンテナ
１０４〜１１３、１３１〜１３３  入力部（選択手段）
１１２  オフフックキー（第１の電源投入スイッチ）
１３１  カメラモード立ち上げ用電源オン／オフキー兼用マナーキー（第２の電源投入スイッチ）
１３２  シャッターキー兼メモキー
１１４  マイク
１１５  録音用マイク
１１６  サブ表示部
１１７  ＬＥＤ
１１８  撮像レンズ
１１９  フラッシュ用ＬＥＤ
１２０  報知スピーカ
１２１  無線部（無線通信手段）
１２２  制御部（判断手段）
１２２１  通信データ処理部
１２２２  システムＲＯＭ
１２２３  オーディオインターフェース
１２３  アドレスデータバス処理部
１２４  ＲＡＭ（優先度記憶手段）
１２５  プログラムＲＯＭ（プログラム記憶手段）
１２６  音源ＩＣ
１２７  ＡＭＰ
１２８  表示モジュール系ドライバ
１２９  ＤＳＰ（撮像手段）
１３０  撮像デバイス（撮像手段）
１３４  電源（電源供給手段）
１３５  電源制御部（第１の電源制御手段、第２の電源制御手段、第３の電源制御手段）
１３６  ＧＰＳアンテナ（位置情報取得手段）
１３７  位置情報演算処理部（位置情報取得手段）
【図１】
2005065235.tif 000003
【図２】
2005065235.tif 000004
【図３】
2005065235.tif 000005
【図４】
2005065235.tif 000006
【図５】
2005065235.tif 000007
【図６】
2005065235.tif 000008
【図７】
2005065235.tif 000009
【図８】
2005065235.tif 000010
【図９】
2005065235.tif 000011